(57)【要約】  いたずら等の誤動作によって引込みアームが完全に閉じた状態になっても、受座と引込みアームを係合させた復帰状態にすることができる戸開閉システムを提供する。  受座は、戸又は枠の一方に取り付けられる受座ベース１１と、受座ベース１１に軸線方向にスライド可能に組み込まれ、引込みアーム４に係合する受座軸１２と、から構成される。受座軸１２の先端には、段部としての小径部５５ａが設けられる。受座軸１２の本体部５５ｂと引込みアーム４とが係合する状態よりも、引込みアーム４がさらに閉じる方向に回転した状態で、受座軸１２の段部５５ａと引込みアーム４とが係合する。
2011021630.tif 000002
【特許請求の範囲】
【請求項１】
戸又は枠の一方に取り付けられる受座と、戸又は枠の他方に取り付けられ、前記受座に係合する引込みアームを有する戸開閉装置とを備え、戸が閉じられるとき、前記戸開閉装置の引込みアームが前記受座に係合し、引込みアームがアーム軸を中心にして回転して、前記戸に閉じる方向に力を付与する戸開閉システムにおいて、
前記受座は、戸又は枠の一方に取り付けられる受座ベースと、前記受座ベースに軸線方向にスライド可能に組み込まれ、前記引込みアームに係合する受座軸と、を備え、
前記受座軸は、前記引込みアームに係合可能な本体部と、前記本体部の先端に設けられ、前記引込みアームに係合可能な段部と、を有し、
前記受座軸の前記本体部と前記引込みアームとが係合できる状態よりも、前記引込みアームがさらに閉じる方向に回転した状態で、前記受座軸の前記段部と前記引込みアームとが係合することを特徴とする戸開閉システム。
【請求項２】
前記受座軸の全周にわたって段が付けられていることを特徴とする請求項１に記載の戸開閉システム。
【請求項３】
前記受座ベースには、戸又は枠に対する前記受座ベースの取付け位置を調節できるように長孔が形成されることを特徴とする請求項１又は２に記載の戸開閉システム。
【請求項４】
戸又は枠の一方に取り付けられる受座と、戸又は枠の他方に取り付けられ、前記受座に係合する引込みアームを有する戸開閉装置とを備え、戸が閉じられるとき、前記戸開閉装置の引込みアームが前記受座に係合し、引込みアームがアーム軸を中心にして回転して、前記戸に閉じる方向に力を付与する戸開閉システムにおいて、
前記受座は、戸又は枠の一方に取り付けられる受座ベースと、前記受座ベースに軸線方向にスライド可能に組み込まれ、前記引込みアームに係合する受座軸と、を備え、
前記受座軸は、前記引込みアームに係合可能な本体部と、前記本体部の先端に設けられ、前記引込みアームに係合可能な段部と、を有し、
前記受座軸の全周にわたって段が付けられていることを特徴とする戸開閉システム。
【請求項５】
戸が閉じられるとき、前記戸に閉じる方向に力を付与する戸開閉システム用受座において、
前記受座は、戸又は枠の一方に取り付けられる受座ベースと、前記受座ベースに軸線方向にスライド可能に組み込まれ、前記引込みアームに係合する受座軸と、を備え、
前記受座軸は、前記引込みアームに係合可能な本体部と、前記本体部の先端に設けられ、前記引込みアームに係合可能な段部と、を有し、
前記受座軸の全周にわたって段が付けられていることを特徴とする戸開閉システム用受座。
【発明の詳細な説明】
【技術分野】
【０００１】
本発明は、建築物や家具の開き戸（扉）、引き戸等の戸の開閉動作をアシストする戸開閉システム及び戸開閉システムに用いられる受座に関する。
【背景技術】
【０００２】
建築物や家具の戸は、開き戸（扉）、引き戸等に分類することができる。開き戸は、回転させて開くしかけの戸である。引き戸は、鴨居や敷居から構成される枠の溝を滑らせて、左右に開閉する戸である。【０００３】
これらの戸の開閉動作をアシストするために、戸開閉システムが設けられる（例えば特許文献１参照）。戸開閉システムは、戸、又は戸を囲む枠のいずれか一方に取り付けられる受座と、戸又は枠の他方に取り付けられ、受座と協働する戸開閉装置と、から構成される。【０００４】
戸開閉装置には、受座に係合する引込みアームが設けられる。戸を閉める前には、引込みアームは開いた状態にある。戸を閉めると、引込みアームと受座が係合し、引込みアームがアーム軸を中心にして閉じる方向に回転する。これにより、戸に閉じる方向の力を作用させることができる。アームが閉じた状態まで回転すると、戸が閉じた状態になる。逆に、閉じた状態にある戸を開くと、引込みアームがアーム軸を中心にして開く方向に回転する。戸が所定の角度以上開くと、引込みアームと受座との係合が外れ、引込みアームが開いた状態になる。
【先行技術文献】
【特許文献】
【０００５】
【特許文献１】特開２００９−１１４８２３号公報
【発明の概要】
【発明が解決しようとする課題】
【０００６】
ところで、いたずら等で誤って、開いた状態にある引込みアームを閉じた状態にしてしまった場合、戸を閉じても、受座と引込みアームを係合させることができなくなる。【０００７】
ここで、戸が閉じた状態にあるとき、戸ががたがたするのを防止するために、戸開閉装置の引込みアームは、戸が枠に当たってもさらに戸に閉じる方向に力を与えている。すなわち、戸が閉じた状態では、引込みアーム自体は完全に閉じた状態まで回転していない。このため、いたずら等で誤って開いた状態の引込みアームを閉じた状態にしたとき、引込みアームは、閉じた状態からさらに閉じる方向に回転した完全に閉じた状態になっている。【０００８】
そこで本発明は、いたずら等の誤動作によって引込みアームが完全に閉じた状態になっても、受座と引込みアームを係合させることができる戸開閉システム及び戸開閉システム用受座を提供することを目的とする。
【課題を解決するための手段】
【０００９】
上記課題を解決するために、本発明の一態様は、戸又は枠の一方に取り付けられる受座と、戸又は枠の他方に取り付けられ、前記受座に係合する引込みアームを有する戸開閉装置とを備え、戸が閉じられるとき、前記戸開閉装置の引込みアームが前記受座に係合し、引込みアームがアーム軸を中心にして回転して、前記戸に閉じる方向に力を付与する戸開閉システムにおいて、前記受座は、戸又は枠の一方に取り付けられる受座ベースと、前記受座ベースに軸線方向にスライド可能に組み込まれ、前記引込みアームに係合する受座軸と、を備え、前記受座軸は、前記引込みアームに係合可能な本体部と、前記本体部の先端に設けられ、前記引込みアームに係合可能な段部と、を有し、前記受座軸の前記本体部と前記引込みアームとが係合できる状態よりも、前記引込みアームがさらに閉じる方向に回転した状態で、前記受座軸の前記段部と前記引込みアームとが係合することを特徴とする戸開閉システムである。【００１０】
本発明の他の態様は、戸又は枠の一方に取り付けられる受座と、戸又は枠の他方に取り付けられ、前記受座に係合する引込みアームを有する戸開閉装置とを備え、戸が閉じられるとき、前記戸開閉装置の引込みアームが前記受座に係合し、引込みアームがアーム軸を中心にして回転して、前記戸に閉じる方向に力を付与する戸開閉システムにおいて、前記受座は、戸又は枠の一方に取り付けられる受座ベースと、前記受座ベースに軸線方向にスライド可能に組み込まれ、前記引込みアームに係合する受座軸と、を備え、前記受座軸は、前記引込みアームに係合可能な本体部と、前記本体部の先端に設けられ、前記引込みアームに係合可能な段部と、を有し、前記受座軸の全周にわたって段が付けられていることを特徴とする戸開閉システムである。【００１１】
本発明のさらに他の態様は、戸が閉じられるとき、前記戸に閉じる方向に力を付与する戸開閉システム用受座において、前記受座は、戸又は枠の一方に取り付けられる受座ベースと、前記受座ベースに軸線方向にスライド可能に組み込まれ、前記引込みアームに係合する受座軸と、を備え、前記受座軸は、前記引込みアームに係合可能な本体部と、前記本体部の先端に設けられ。前記引込みアームに係合可能な段部と、を有し、前記受座軸の全周にわたって段が付けられていることを特徴とする戸開閉システム用受座である。
【発明の効果】
【００１２】
本発明によれば、受座軸の先端に段部を設け、受座軸の本体部と引込みアームとが係合する状態よりも、引込みアームがさらに閉じる方向に回転した状態で、受座軸の段部と引込みアームとが係合するようにしたので、いたずら等の誤動作によって引込みアームが完全に閉じた状態になっても、受座が引込みアームに係合する復帰状態に戻すことができる。
【図面の簡単な説明】
【００１３】
【図１】本発明の一実施形態における戸開閉システムの戸開閉装置の外観斜視図
【図２】扉に埋め込まれた戸開閉装置の外観斜視図（図中（ａ）は引込みアームが閉じた状態を示し、図中（ｂ）は引込みアームが開いている途中の状態を示す）
【図３】戸開閉システムの受座の斜視図
【図４】扉が開閉するときの、戸開閉装置の動作を示す図（図中（ａ）は扉が閉じられて引込みアームが受座軸をつかまえた状態を示し、図中（ｂ）は扉が閉じた状態を示す）
【図５】扉及び枠に取り付けられた戸開閉装置及び受座を示す（図中（ａ）は側面図を示し、図中（ｂ）は正面図を示す。図中（ｃ），（ｄ）は図中（ａ），（ｂ）に対応した断面図である）
【図６】戸開閉装置の分解斜視図
【図７】戸開閉装置の断面図
【図８】戸開閉装置の動作図（図中（ａ）は引込みアームが閉じた状態を示し、図中（ｂ）は引込みアームが開く途中の状態を示し、図中（ｃ）は引込みアームが開いた状態を示す）
【図９】引込みアームの詳細図（図中（ａ）は平面図を示し、図中（ｂ）は正面図を示し、図中（ｃ）はＡ−Ａ断面図を示す）
【図１０】アームベースの詳細図（図中（ａ）は平面図を示し、図中（ｂ）は正面図を示し、図中（ｃ）は左側面図を示し、図中（ｄ）は右側面図を示す）
【図１１】受座の斜視図
【図１２】受座の分解斜視図
【図１３】受座と引込みアームとの関係を示す図（図中（ａ）は受座軸が引込みアームの溝にはまった状態を示し、図中（ｂ）受座軸の小径部が引込みアームの溝にはまった状態を示す）
【図１４】受座の他の例の斜視図
【図１５】受座の他の例の分解斜視図
【図１６】受座の他の例の斜視図
【図１７】受座の他の例の分解斜視図
【発明を実施するための形態】
【００１４】
以下添付図面に基づいて本発明の一実施形態における戸開閉システムを詳細に説明する。この実施形態の戸開閉システムは、扉の開閉動作をアシストするのに用いられ、枠に取り付けられる受座と、扉に取り付けられ、受座に係合するアームを有する戸開閉装置と、から構成される。
【００１５】
図１は、戸開閉装置の外観斜視図を示す。戸開閉装置１の本体ケース２は、細長い直方体形状に形成される。本体ケース２の天井部２ａには切欠き３が形成され、この切欠き３内に引込みアーム４が配置される。引込みアーム４は引込みアーム軸５を中心として水平方向に回転可能であり、切欠き３から出没する（図２参照）。
【００１６】
図２（ａ）に示すように、扉ｄの上面には、本体ケース２の外形形状に対応した四角形の穴６が掘り込まれ、戸開閉装置１は穴６内に埋め込まれる。扉ｄの上面には、本体ケース２の切欠き３に対応した位置に引込みアーム４の出没を可能にする切欠き７が形成される。図２（ａ）は、引込みアーム４が閉じた状態を示す。図２（ｂ）は、引込みアーム４が閉じた状態から回転し、扉ｄの切欠き７から出た状態を示す。
【００１７】
図３は、戸開閉装置１と協働する受座８を示す。この図３には、扉ｄを囲む上側の枠ｆに取り付けられた受座８を下側からみた状態が示されている。受座８は、皿ねじ１０により枠ｆの下面に固定される受座ベース１１と、受座ベース１１から突出する受座軸１２と、を備える。図４（ａ）に示すように、扉ｄがある角度まで閉まってくると、開いた状態にある引込みアーム４が受座８の受座軸１２をつかまえる。引込みアーム４は受座軸１２をつかんだ状態で、引込みアーム軸５を中心にして閉じる方向に回転しようとする。そして、図４（ｂ）に示すように、引込みアーム４は扉ｄを完全に閉まった状態にする。
【００１８】
部屋から出て扉ｄを軽く閉めると、扉ｄが閉まりきらないときがある。扉ｄを軽く閉めても戸開閉装置１の引込みアーム４が受座軸１２をつかまえることによって、扉ｄを完全に閉めることができる。また、風等で開いた扉ｄが勢いよく閉められたりするときに、戸開閉装置１は、扉ｄに発生する衝撃を緩和し、扉ｄがゆっくり閉まるようにする。戸開閉装置１には、扉ｄを引き込む役割だけでなく、扉ｄの動きをゆっくりさせる役割も持つ。
【００１９】
図５は、戸開閉装置１、及び受座８が扉ｄ及び枠ｆに取り付けられた状態を示す。図中（ａ）は側面図を示し、図中（ｂ）は正面図を示す。図中（ｃ），（ｄ）は（ａ），（ｂ）に対応した断面図である。受座８は、皿ねじ１０によって枠ｆに固定される。戸開閉装置１は止めねじ１３によって扉ｄに固定される。この図に示すように、扉ｄが閉じた状態では、戸開閉装置１の引込みアーム４も閉じた状態にある。ただし、厳密にいえば、扉ｄが閉められた状態では、戸開閉装置１の引込みアーム４も閉じた状態から僅かに開く方向に回転している。戸開閉装置１の引込みアーム４によって閉じた状態の扉ｄにさらに閉じる方向の力を与え、扉ｄががたがたするのを防止するためである。
【００２０】
図６は、戸開閉装置の分解斜視図を示す。戸開閉装置１は、本体ケース２、本体ケース２に組み込まれるアームベース２１、アームベース２１に回転可能に支持される引込みアーム４、引込みアーム４に開く方向又は閉じる方向のトルクを与える付勢機構２２、及び引込みアーム４が閉じるときの衝撃を緩和するダンパ機構２３、を備える。アームベース２１は、本体ケース２の長さ方向の中央部に配置される。付勢機構２２は本体ケース２の長さ方向の一方側に配置され、ダンパ機構２３は本体ケース２の長さ方向の他方側に配置される。
【００２１】
各部品の概略の構造は以下のとおりである。本体ケース２は、天井部２ａと、一対の側壁部２ｂと、を有する。本体ケース２の断面形状は、コの字形状に形成される。本体ケース２の下面及び長さ方向の両端面には、部品を組み込むための開口２４ａ，２４ｂが形成される。また、本体ケース２の天井部２ａには、引込みアーム４を出没させるための切欠き３が形成される。この本体ケース２は、薄板を曲げ加工する板金により製造される。
【００２２】
アームベース２１は、本体ケース２の長さ方向の中央に配置され、構造上及び組立上、中心になる部品である。アームベース２１は、略コの字形状に形成され、互いに対向する第一及び第二の壁部２１ａ，２１ｂを有する。第一及び第二の壁部２１ａ，２１ｂ間に引込みアーム４を挿入し、下側から引込みアーム軸５をアームベース２１及び引込みアームに貫通させることにより、引込みアーム４がアームベース２１に回転可能に連結される。アームベース２１に引込みアーム４を連結させた後、アームベース２１は本体ケース２に挿入されて結合される。アームベース２１と本体ケース２との結合には、リベット、ビス等が用いられる。アームベース２１及び本体ケース２には、アームベース２１を本体ケース２に結合するための取付け孔２１ｃ，２ｃが空けられる。
【００２３】
引込みアーム４は、引込みアーム軸５を中心にして回転する。引込みアーム４には、引込みアーム軸５から偏心した位置に第一及び第二のリンク軸２６，２７が挿入される。図７に示すように、第一のリンク軸２６には、付勢機構２２のコイルばね２８の力が常に加わっている。このコイルばね２８のばね力によって、引込みアーム４に扉ｄを引き込む力が働く。第二のリンク軸２７には、ダンパ機構２３のスライドブロック３１が連結される。引込みアーム４が閉じる方向に回転するとき、スライドブロック３１はダンパ３２のロッド３２ａの頭部を押す。このため、引込みアーム４が閉じる方向に素早く回転しようとしても、ダンパ３２が引込みアーム４をゆっくり回転させる。
【００２４】
図６に示すように、付勢機構２２は、上記第一のリンク軸２６、リンクプレート３３、スライドばねケース３４、コイルばね２８、ばねベース３５から構成される。
【００２５】
引込みアーム４には、スリット４ａが形成されている。スリット４ａにリンクプレート３３を挟み込んだ状態で、第一のリンク軸２６を上から引込みアーム４及びリンクプレート３３に貫通させることにより、引込みアーム４にリンクプレート３３が連結される。リンクプレート３３の他方の端部には、ばね連結軸３６が嵌め込まれる。このばね連結軸３６を介してリンクプレート３３にスライドばねケース３４が連結される。
【００２６】
スライドばねケース３４は、本体ケース２に直線運動可能に組み込まれる。スライドばねケース３４の側面には、直線的に細長く伸びる突起３４ａが形成される。本体ケース２には、この突起３４ａが嵌まるスリット２ｄが形成される。本体ケース２に対するスライドばねケース３４の直線運動は、本体ケース２のスリット２ｄによって案内される。
【００２７】
スライドばねケース３４には、コイルばね２８の径よりも僅かに大きな穴が空けられていて、この穴内にコイルばね２８が入る。コイルばね２８を介してスライドばねケース３４の反対側には、コイルばね２８の径よりも僅かに大きな穴が空けられたばねベース３５が配置される。スライドばねケース３４とばねベース３５との間でコイルばね２８を圧縮する。ばねベース３５は、本体ケース２の端部にリベットやビス等を使用して固定される。ばねベース３５及び本体ケース２には、ばねベース３５を本体ケース２に結合するための取付け孔３５ａ，２ｅが空けられる。
【００２８】
ダンパ機構２３は、第二のリンク軸２７、スライドブロック３１、ダンパ３２、ダンパベース３８、ダンパ調整軸４０から構成される。
【００２９】
引込みアーム４には、スライドブロック３１が挿入される切欠き４ｂが形成されている。引込みアーム４の切欠き４ｂにスライドブロック３１を挿入し、上から第二のリンク軸２７を引込みアーム４及びスライドブロック３１に貫通させることにより、スライドブロック３１が引込みアーム４に連結される。スライドブロック３１には、第二のリンク軸２７が貫通する長孔３１ａが形成されている。引込みアーム４が回転するとき、スライドブロック３１を直線運動させるためである。図７に示すように、スライドブロック３１には、ダンパ３２のロッド３２ａの頭部が挿入される。スライドブロック３１の直線運動は、アームベース２１の壁面２１ｄ及び本体ケース２の内壁面２ｆに案内される。
【００３０】
図６に示すように、ダンパ３２には、本体部３２ｂに対してロッド３２ａがストロークする伸縮式のダンパ３２が用いられる。ロッド３２ａが本体部３２ｂに対して縮むとき、ロッド３２ａの動きに抵抗するダンパ力が発生する。この例では、二本のダンパ３２を上下に組み合わせて使用している。
【００３１】
本体ケース２の端部には、リベットやビス等を使用してダンパベース３８が結合される。ダンパベース３８及び本体ケース２には、ダンパベース３８を本体ケース２に結合するための取付け孔３８ａ，２ｇが空けられる。ダンパベース３８は、ダンパ３２の押えとして機能する。ダンパベース３８には、ダンパ３２の強さを調整するためのダンパ調整軸４０が組み込まれる。ダンパ調整軸４０は、ダンパ３２の尻部に当接している。ダンパ調整軸４０を回転させることによって、上下二本のダンパ３２それぞれの尻部の位置が調整できるようになっている。ダンパベース３８の三つの孔のうちの一つ４１ａが戸開閉装置１を扉ｄに取り付けるための孔である。残りの左右の二つの孔４１ｂには、ダンパ調整軸４０が挿入される。左右の二つの孔４１ｂは、扉ｄの右開き、左開きに対応するために設けられる。扉ｄの開く方向によって本体ケース２から引込みアーム４が出る方向が異なる。一つの部品で扉ｄの二つの開き方向に対応するために、二つの孔４１ｂが空けられている。さらにダンパベース３８には、上下二本のダンパ３２を収納するための収納部３８ｂが形成される。この収納部３８ｂも扉ｄの二つの開き方向に対応して二つ設けられている。なお、扉ｄの開き方向によって、本体ケース２の切欠き３の位置も変わってくるが、薄板の曲げ方向を変えることで対応でき、薄板の抜き型は一つですむ。
【００３２】
戸開閉装置１の動きは以下のとおりである。図８（ａ）に示すように、引込みアーム４は閉じた状態から、図８（ｃ）に示すように、開いた状態まで回転する。引込みアーム４が閉じた状態では、付勢機構２２のコイルばね２８のばね力によって、引込みアーム４にはさらに閉じる方向に回転する力が付与される。コイルばね２８のばね力に抗して、引込みアーム４を開く方向に回転させると、付勢機構２２の思案点に到達する。引込みアーム４をさらに開く方向に回転させ、付勢機構２２の思案点を過ぎると、図８（ｃ）に示すように、コイルばね２８のばね力によって、引込みアーム４を開く方向に回転する力が発生する。なお、思案点では、引込みアーム軸５と第一のリンク軸２６を結んだ線とリンクプレート３３の伸びる方向とが一致し、引込みアーム４を回転させようとする力が生じない。
【００３３】
図８（ｃ）に示す開いた状態の扉ｄを閉じるとき、引込みアームを反時計方向に回転させる。図８（ｂ）に示すように、付勢機構２２の思案点を過ぎると、コイルばね２８のばね力によって、引込みアーム４に閉じる方向に回転する力が付与される。このため、扉ｄを自動的に閉めることが可能になる。また、引込みアーム４の閉じる方向への回転に伴い、スライドブロック３１がダンパ３２のロッド３２ａの頭部を押す。このため、引込みアーム４をゆっくり回転させることが可能になる。
【００３４】
引込みアーム４が閉じる方向に回転するとき、スライドブロック３１をダンパ３２のロッド３２ａの頭に当接させ、ダンパ３２がスライドブロック３１の直線運動に抵抗するようにする。その一方、引込みアーム４が開く方向に回転するとき、スライドブロック３１がダンパ３２のロッドの頭から離れ、ダンパ３２がスライドブロック３１の直線運動に抵抗しないようにする。扉ｄを開くときは抵抗がない方がよいからである。図７に示すように、スライドブロック３１とダンパ３２のロッド３２ａの頭とは連結されておらず、スライドブロック３１内にロッド３２ａの頭が入っているだけである。スライドブロック３１がダンパ３２から離れたときに、スライドブロック３１及びダンパ３２が遊ばないように、アームベース２１及び本体ケース２は、スライドブロック３１及びダンパ３２をガイドする。
【００３５】
戸開閉装置１の組み立て方法は以下のとおりである。図６に示すように、まず、引込みアーム４のスリット４ａにリンクプレート３３を入れ、引込みアーム４に上から第一のリンク軸２６を通して、引込みアーム４にリンクプレート３３を連結する。次に、引込みアーム４の切欠き４ｂにスライドブロック３１を入れ、引込みアーム４に上から第二のリンク軸２７を通して、引込みアーム４にスライドブロック３１を連結する。引込みアーム４にリンクプレート３３及びスライドブロック３１を連結した状態で、引込みアーム４をアームベース２１の対向する第一及び第二の壁部２１ａ，２１ｂ間に挟み、下からアーム軸５を通してアームベース２１に引込みアーム４を連結する。
【００３６】
そして、アームベース２１に引込みアーム４をアッセンブリーした状態で、アームベース２１を本体ケース２の中に入れる。引込みアーム軸５を本体ケース２の天井部２ａに通し、引込みアーム軸５の端部を平座金４３で止め、また本体ケース２及びアームベース２１の取付け孔２ｃ，２１ｃにリベットを通し、リベットをかしめることにより、アームベース２１を本体ケース２に結合する。
【００３７】
次に、リンクプレート３３にばね連結軸３６を嵌め、本体ケース２のスリット２ｄにスライドばねケース３４を嵌め、ばね連結軸３６にスライドばねケース３４を連結する。スライドばねケース３４にコイルばね２８を入れ、本体ケース２の端部の開口からばねベース３５を挿入し、本体ケース２及びばねベース３５の取付け孔２ｅ，３５ａにリベットを通し、リベットをかしめることにより、ばねベース３５を本体ケース２に結合する。
【００３８】
次に、本体ケース２の反対側の端部の開口から二本のダンパ３２をアームベース２１内に挿入する。本体ケース２のからダンパベース３８を挿入し、本体ケース２及びダンパベース３８の取付け孔２ｇ，３８ａにリベットを通し、リベットをかしめることにより、ダンパベース３８を本体ケース２に結合する。
【００３９】
以上により、全ての部品のアッセンブリーが終了する。あらかじめアームベース２１に、引込みアーム４、リンクプレート３３及びスライドブロック３１をサブアッセンブリーした状態で、アームベース２１を本体ケース２に組み込むので、組み立て作業を簡単にすることができる。本体ケース２に結合されるのは、アームベース２１、ばねベース３５及びダンパベース３８の三つの部品のみである。
【００４０】
引込みアーム４、アームベース２１及び受座８の詳細な構造は以下のとおりである。図９は、引込みアーム４の詳細図を示す。引込みアーム４は、引込みアーム軸用通し孔４４及び二つのリンク軸用通し孔４５，４６が形成される本体部４７と、本体部の４７上端部から水平方向に延出するアーム部４８と、を備える。アーム部４８の上面には、受座８の受座軸１２を受け入れるための溝４８ａが形成される。溝４８ａはアーム部４８の途中から先端まで延びる。図中（ｃ）の断面図に示すように、溝４８ａの両側の壁部４９，５０の高さは左右で（図では上下で）異なっている。引込みアーム４が開いた状態にあるとき、受座軸１２は溝４８ａの開放端から溝４８ａ内に入る。そして、受座軸１２は高い方の壁部５０に当接し、引込みアーム４を回転させる。引込みアーム４の回転に伴い、受座軸１２は溝４８ａの奥の閉鎖端に向かって移動する。引込みアーム４の回転角度が思案点を過ぎると、引込みアーム４はコイルばね２８のばね力によって自動的に閉じる方向に回転するようになり、溝４８ａの低い方の壁部４９が受座軸１２に当接するようになる。引込みアーム４は、壁部４９に受座軸１２に係合させた状態で閉じた状態まで回転する。これにより、扉が閉じた状態になる。
【００４１】
受座軸１２は、アーム部４８の溝４８ａの途中から溝４８ａ内に入り込むことも可能である。詳しくは後述するが、受座軸１２は、受座ベース１１に軸線方向にスライド可能に組み込まれる（図１１，図１２参照）。引込みアーム４が閉じた状態にあるときは、受座軸１２がアーム部４８の低い方の壁部４９に当接し、受座ベース１１側にスライドしながら壁部４９を乗り越え、溝４８ａ内に入り込む。低い方の壁部４９には、受座軸１２が溝４８ａ内に入り易くなるように傾斜面４９ａが形成される。
【００４２】
引込みアーム４の本体部４７には、引込みアーム軸５が通されるアーム軸用通し孔４４、アーム軸用通し孔から偏心した位置に二つのリンク軸用通し孔４５，４６が空けられる。二つのリンク軸用通し孔４５，４６には、第一及び第二のリンク軸２６，２７が通される。引込みアーム４の本体部４７にはさらに、リンクプレート３３が挿入されるスリット４ａが形成される。このスリット４ａはリンク軸用通し孔４５に繋がる。また、引込みアーム４の本体部４７には、スライドブロック３１が挿入される切欠き４ｂが形成される。この切欠き４ｂはリンク軸用通し孔４６に繋がる。引込みアーム４は樹脂の射出成型により製造される。
【００４３】
図１０は、アームベース２１の詳細図を示す。アームベース２１は、全体形状が概略コの字形状に形成される。アームベース２１は、引込みアーム軸５の下端部を支持する第一の壁部２１ａと、第一の壁部２１ａに対向し、引込みアーム軸５の上端部を支持する第二の壁部２１ｂと、を有する。第一の壁部２１ａ及び第二の壁部２１ｂには、引込みアーム軸５が通される孔６０が空けられる。アームベース２１の第一の壁部２１ａと第二の壁部２１ｂとの間で引込みアーム４を挟み、アームベース２１及び引込みアーム４に下側から引込みアーム軸５を通すことによって、アームベース２１に引込みアーム４が連結される。引込みアーム４の回転運動は、アームベース２１の第一及び第二の壁部２１ａ，２１ｂによって案内されるので、引込みアーム４の安定した回転運動が可能になる。アームベース２１の第一の壁部２１ａの側面には、アームベース２１を本体ケース２に結合するための取付け孔２１ｃが加工される。アームベース２１には、スライドブロック３１やダンパ３２をガイドするために壁面２１ｄが形成される。
【００４４】
第二の壁部２１ｂの上面には、リング状の突起６２が形成される。アームベース２１に本体ケース２を挿入するとき、このリング状の突起６２が本体ケース２の天井部２ａの孔に嵌まる。アームベース２１の第二の壁部２１ｂの上面は、本体ケース２の天井部２ａの下面に接触する。引込みアーム軸５の下端部は、肉厚の第一の壁部２１ａに支持され、引込みアーム軸５の上端部は第二の壁部２１ｂ及び本体ケース２の天井部２ａに支持される。引込みアーム軸５を両持ちすることにより、引込みアーム軸５の支持強度を向上させることができる。引込みアーム軸５の上端部をアームベース２１の第二の壁部２１ｂ及び本体ケース２の天井部２ａで支持することにより、アームベース２１の第二の壁部２１ｂの肉厚を薄くすることができ、戸開閉装置１の高さを低くすることができ、ひいては扉上面の穴を浅くすることができる。また、アームベース２１に第一及び第二の壁部２１ａ，２１ｂを設けることにより、アームベース２１に引込みアーム４をアッセンブリーするのが容易になる。アームベース２１は樹脂の射出成型により製造される。
【００４５】
なお、アームベース２１は、引込みアーム軸５の少なくとも一方の端部を支持すればよい。例えば、アームベース２１に第二の壁部２１ｂを設けることなく、アームベース２１の第一の壁部２１ａと本体ケース２の天井部２ａとの間で引込みアーム軸５を支持するようにしてもよい。また、アームベース２１の第一の壁部２１ａと第二の壁部２１ｂとの間でのみ引込みアーム軸５を支持し、本体ケース２の天井部２ａで支持しないようにしてもよい。
【００４６】
図１１及び図１２は、受座８の詳細図を示す。図１１は受座８の斜視図を示し、図１２は受座８の分解斜視図を示す。図１１に示すように、受座８は、枠ｆに取り付けられる受座ベース１１と、受座ベース１１から突出する受座軸１２と、を備える。戸開閉装置１の引込みアーム４は、受座８の受座軸１２をつかまえ、扉ｄを開閉する。
【００４７】
図１２に示すように、受座ベース１１は矩形状に形成される。受座ベース１１の四隅には、四つの皿ねじ取付け孔１１ａが空けられる。受座ベース１１の中央の孔１１ｂには、受座軸１２の軸線方向のスライドを案内する受座外軸５４が嵌められ、一体に結合される。受座外軸５４は、中空円筒状に形成される。受座外軸５４の外周面にはフランジ５４ａが形成され、受座外軸５４はそのフランジ５４ａが受座ベース１１に当接するまで受座ベース１１の孔１１ｂに嵌められる。受座外軸５４には、受座ベース１１の背面側から裏蓋５６が結合される。裏蓋５６は弾性体としてのコイルばね５７を支持するために設けられる。裏蓋５６には、受座ばね５７の中央に入り込んで受座ばね５７を支持する支持棒５６ａが形成される。
【００４８】
受座外軸５４には受座軸５５が嵌め込まれる。受座軸５５は、先端部が閉じられた略円筒形状に形成される。受座軸５５の先端部には、段部としての円筒形状の小径部が形成される。受座軸５５は、受座外軸５４にスライド可能に支持される本体部５５ｂと、本体部５５ｂと同心円で本体部５５ｂよりも小径な小径部５５ａと、から構成される。小径部５５ａ及び本体部５５ｂによって、受座軸５５の先端部には、段が付けられる。受座軸５５の本体部５５ｂには、受座ばね５７が挿入される。受座ばね５７は、受座軸５５と裏蓋５６との間に介在し、受座軸５５を受座外軸５４から突出させようとする。受座軸５５のフランジ５５ｃが受座外軸５４の内周面の段差に当接するまで、受座軸５５を受座外軸５４から突出する。もちろん、受座軸５５を受座ばね５７のばね力に抗して受座外軸５４内に押し込むこともできる。
【００４９】
図１３（ａ）に示すように、扉ｄが閉じた状態では、扉ｄががたがたするのを防止するために、扉ｄが枠ｆに当たっても、戸開閉装置１の引込みアーム４は受座軸１２をつかんで扉ｄにさらに閉じる方向の力を与える。すなわち、扉ｄが閉じた状態では、引込みアーム４自体は、完全に閉じた状態まで回転してはおらず、閉じた状態から僅かに手前の回転角度になっていて、閉じる方向に回転できる余地をもっている。
【００５０】
いたずら等で誤って、開いた状態の引込みアーム４を閉じた状態にしてしまった場合、引込みアーム４が完全に閉じた状態まで回転してしまう。この場合、扉ｄを閉じ、受座軸１２を引込みアーム４の溝４８ａに嵌めた復帰状態にしようとしても、受座軸１２を引込みアーム４の溝４８ａに嵌めることができなくなってしまう。図１３（ｂ）に示すように、受座軸１２の先端部に小径部５５ａを形成することで、引込みアーム４が完全に閉じた状態まで回転していても、本体部５５ｂと小径部５５ａの径の差分だけ、小径部５５ａを引込みアーム４の溝４８ａに引っ掛けることができるようになる。受座軸１２の小径部５５ａを引込みアーム４の溝３８ａに引っ掛けることができれば、引込みアーム４を開いた状態まで回転させることができ、次に使用するときは、受座軸１２を引込みアーム４の溝４８ａに引っ掛けることができ、普通に戸開閉装置１を使用できるようになる。小径部５５ａの外周面は円筒形状に形成され、テーパ状に形成されていないので、アーム４の溝４８ａに引っ掛けた小径部５５ａが受座外軸５４内に引っ込み、溝４８ａから外れることもない。
【００５１】
図１４及び図１５は、受座の他の例を示す。この実施形態の受座７１も、受座ベース１１、受座外軸５４、受座軸１２、コイルばね５７、及び裏蓋５６から構成される。受座軸１２は、受座外軸５４に軸線方向にスライド可能に組み込まれている。受座外軸５４、受座軸１２、コイルばね５７、及び裏蓋５６の構造は、図１１及び図１２に示される受座と同一であるから、同一の符号を附してその説明を省略する。
【００５２】
この例の受座において、受座ベース１１の四つの取付け孔１１ａは、長孔に形成される。枠ｆに対する受座軸１２の位置を調節するためである。受座軸１２の位置は、引込みアーム４が完全に閉じた状態まで回転しても、受座軸１２の小径部５５ａを引込みアーム４の溝４８ａに確実に嵌めることができるように調節される。
【００５３】
図１６及び図１７は、受座のさらに他の例を示す。この例の受座７２は、受座軸７３の構造が図１１及び図１２に示される受座８と異なる。受座ベース１１、受座外軸５４、コイルばね５７、及び裏蓋５６の構造は、図１１及び図１２に示される受座８と同一なので同一の符号を附してその説明を省略する。この例の受座７２において、受座軸７３の円筒状の本体部７３ｂの先端は切り欠かれ、半円柱形状の段部７３ａが形成されている。図１１及び図１２に示される受座８においては、受座軸１２の全周に渡って段が付けられているが、この例のように受座軸７３の半周にのみ段を付けてもよい。ただし、受座外軸５４に対して受座軸７３が回転するのを防止する手段を設ける必要がある。
【００５４】
なお、本発明は上記実施形態に具現化されるのに限られることはなく、本発明の要旨を変更しない範囲で様々な実施形態に変更できる。
【００５５】
例えば、本発明の戸開閉システムは、建築物の扉に限られることはなく、建築物の引き戸、家具の扉、引き戸及び引出しの開閉動作をアシストするのに用いることができる。また、受座軸の本体部及び小径部の断面は円形でなくても、四角形等の多角形でもよい。
【００５６】
本明細書は、２００９年８月２０日出願の特願２００９−１９１１００に基づく。この内容はすべてここに含めておく。
【符号の説明】
【００５７】
１…戸開閉装置
４…引込みアーム
５…引込みアーム軸（アーム軸）
８，７１，７２…受座
１１…受座ベース
１１ａ…長孔
１２，７３…受座軸
５５ａ…小径部（段部）
５５ｂ，７３ｂ…本体部
５７…コイルばね（弾性体）
７３ａ…段部
【図１】
2011021630.tif 000003
【図２】
2011021630.tif 000004
【図３】
2011021630.tif 000005
【図４】
2011021630.tif 000006
【図５】
2011021630.tif 000007
【図６】
2011021630.tif 000008
【図７】
2011021630.tif 000009
【図８】
2011021630.tif 000010
【図９】
2011021630.tif 000011
【図１０】
2011021630.tif 000012
【図１１】
2011021630.tif 000013
【図１２】
2011021630.tif 000014
【図１３】
2011021630.tif 000015
【図１４】
2011021630.tif 000016
【図１５】
2011021630.tif 000017
【図１６】
2011021630.tif 000018
【図１７】
2011021630.tif 000019
【手続補正書】
【提出日】平成24年5月10日(2012.5.10)
【手続補正１】
【補正対象書類名】特許請求の範囲
【補正対象項目名】全文
【補正方法】変更
【補正の内容】
【特許請求の範囲】
【請求項１】
戸又は枠の一方に取り付けられる受座と、戸又は枠の他方に取り付けられ、前記受座に係合する引込みアームを有する戸開閉装置とを備え、戸が閉じられるとき、前記戸開閉装置の引込みアームが前記受座に係合し、引込みアームがアーム軸を中心にして回転して、前記戸に閉じる方向に力を付与する戸開閉システムにおいて、
前記受座は、戸又は枠の一方に取り付けられる受座ベースと、前記受座ベースに軸線方向にスライド可能に組み込まれ、前記引込みアームに係合する受座軸と、を備え、
前記受座軸は、前記引込みアームに係合可能な本体部と、前記本体部の先端に設けられ、前記引込みアームに係合可能な段部と、を有し、
前記受座軸の前記本体部と前記引込みアームとが係合できる状態よりも、前記引込みアームがさらに閉じる方向に回転した状態で、前記受座軸の前記段部と前記引込みアームとが係合することを特徴とする戸開閉システム。
【請求項２】
前記受座軸の全周にわたって前記段部が付けられていることを特徴とする請求項１に記載の戸開閉システム。
【請求項３】
前記受座ベースには、戸又は枠に対する前記受座ベースの取付け位置を調節できるように長孔が形成されることを特徴とする請求項１又は２に記載の戸開閉システム。
【請求項４】
戸が閉じられるとき、前記戸に閉じる方向に力を付与する戸開閉システム用受座において、
前記受座は、戸又は枠の一方に取り付けられる受座ベースと、前記受座ベースに軸線方向にスライド可能に組み込まれ、引込みアームに係合する受座軸と、を備え、
前記受座軸は、前記引込みアームに係合可能な本体部と、前記本体部の先端に設けられ、前記引込みアームに係合可能な段部と、を有し、
前記受座軸の前記本体部と前記引込みアームとが係合できる状態よりも、前記引込みアームがさらに閉じる方向に回転した状態で、前記受座軸の前記段部と前記引込みアームとが係合できることを特徴とする戸開閉システム用受座。
【手続補正２】
【補正対象書類名】明細書
【補正対象項目名】００１０
【補正方法】削除
【補正の内容】
【手続補正３】
【補正対象書類名】明細書
【補正対象項目名】００１１
【補正方法】変更
【補正の内容】
【００１１】
本発明の他の態様は、戸が閉じられるとき、前記戸に閉じる方向に力を付与する戸開閉システム用受座において、前記受座は、戸又は枠の一方に取り付けられる受座ベースと、前記受座ベースに軸線方向にスライド可能に組み込まれ、引込みアームに係合する受座軸と、を備え、前記受座軸は、前記引込みアームに係合可能な本体部と、前記本体部の先端に設けられ。前記引込みアームに係合可能な段部と、を有し、前記受座軸の前記本体部と前記引込みアームとが係合できる状態よりも、前記引込みアームがさらに閉じる方向に回転した状態で、前記受座軸の前記段部と前記引込みアームとが係合できることを特徴とする戸開閉システム用受座である。
【国際調査報告】
2011021630.tif 000020
2011021630.tif 000021